【手続補正書】
【提出日】平成29年12月6日(2017.12.6)
【手続補正１】
【補正対象書類名】特許請求の範囲
【補正対象項目名】全文
【補正方法】変更
【補正の内容】
【特許請求の範囲】
【請求項１】
患者の歯の第１の組を移動させるためのプラスチック歯科矯正アライナーの第１のセグメントを成形するステップと、
前記プラスチック歯科矯正アライナーの第２のセグメントを成形するステップと、
前記第１のセグメントと前記第２のセグメントとの間の力の伝達を最小化するように構成されたコネクタを用いて、前記プラスチック歯科矯正アライナーの前記第２のセグメントに前記プラスチック歯科矯正アライナーの前記第１のセグメントを結合するステップと、
を含む方法。
【請求項２】
前記プラスチック歯科矯正アライナーの前記第１のセグメントを成形するステップは、
前記歯の第１の組のモデルを含む歯科アーチの第１の部分の第１のモールドを生成するステップと、
前記第１のモールドに前記第１のセグメントを熱成形又は圧力成形するステップと、を含み、
前記プラスチック歯科矯正アライナーの前記第２のセグメントを成形するステップは、
歯の第２の組のモデルを含む前記歯科アーチの第２の部分の第２のモールドを生成するステップと、
前記第２のモールドに前記第２のセグメントを熱成形又は圧力成形するステップと、を含む
請求項１に記載の方法。
【請求項３】
前記第１のセグメントを成形するステップ及び前記第２のセグメントを成形するステップは、
前記患者の歯科アーチのモールドを生成するステップと、
前記プラスチック歯科矯正アライナーを成形するために前記モールドにてプラスチックを熱成形又は圧力成形するステップと、
前記第１のセグメント及び前記第２のセグメントに前記プラスチック歯科矯正アライナーを分離するために前記プラスチック歯科矯正アライナーを切断するステップと、
を含む工程において一緒に行われる、
請求項１に記載の方法。
【請求項４】
前記コネクタは、第１の端部において前記第１のセグメントに及び第２の端部において前記第２のセグメントに拘束する弾性接着剤を備える、
請求項１から３のいずれか一項に記載の方法。
【請求項５】
前記コネクタは、第２の方向における力の伝達を最小化すること無しで、第１の方向における力の伝達を最小化するためのものである、
請求項１から４のいずれか一項に記載の方法。
【請求項６】
患者の歯科アーチの第１の部分に合致する第１の形状を有する第１のプラスチックセグメントであって、前記第１のプラスチックセグメントは、前記歯科アーチの前記第１の部分において歯の第１の組に力を印加するように構成されている、前記第１のプラスチックセグメントと、
前記患者の前記歯科アーチの第２の部分に合致する第２の形状を有する第２のプラスチックセグメントと、
前記第２のプラスチックセグメントに前記第１のプラスチックセグメントを結合するコネクタであって、前記コネクタは、前記第１のプラスチックセグメントと前記第２のプラスチックセグメントとの間の力の伝達を最小化するためのものである、前記コネクタと、
を備える歯科矯正アライナー。
【請求項７】
前記コネクタは、第２の方向における力の伝達を最小化すること無しで、第１の方向における力の伝達を最小化するためのものである、
請求項６に記載の歯科矯正アライナー。
【請求項８】
前記コネクタは、セミリジッド熱硬化性、セミリジッド熱可塑性、又はセミリジッド金属の少なくとも１つを備える、
請求項６又は７に記載の歯科矯正アライナー。
【請求項９】
前記第１のセグメント、前記第２のセグメント、及び前記コネクタは、単一連続プラスチックボディの部分である、
請求項６から８のいずれか一項に記載の歯科矯正アライナー。
【請求項１０】
前記歯科矯正アライナーは、前記第１のセグメントを介して前記歯科アーチの前記第１の部分にて歯の第１の組に第１の隔離力を印加するように、及び、前記第２のセグメントを介して前記歯科アーチの前記第２の部分にて歯の第２の組に第２の隔離力を印加するように構成される、
請求項６から９のいずれか一項に記載の歯科矯正アライナー。
【請求項１１】
前記コネクタは、前記第１のセグメント及び前記第２のセグメントの間のギャップにわたるように構成されており、前記ギャップは、臨床的に重要な力を受けないためのものである前記歯科アーチの１つ以上の追加の歯の位置に対応している、
請求項６から１０のいずれか一項に記載の歯科矯正アライナー。
【請求項１２】
前記コネクタは、前記第１のプラスチックセグメント及び前記第２のプラスチックセグメントの間に力を印加する前に曲がるためのものである波型形状を備える、
請求項６から１１のいずれか一項に記載の歯科矯正アライナー。
【請求項１３】
１つ以上の追加のセグメントであって、前記１つ以上の追加のセグメントは、前記患者の前記歯科アーチの追加の部分にて合致する追加の形状を備えている、前記１つ以上の追加のセグメントと、
前記１つ以上の追加のセグメントを前記第２のセグメントへの前記第１のセグメントの少なくとも１つに結合する１つ以上の追加のコネクタと、を更に備える、
請求項６から１２のいずれか一項に記載の歯科矯正アライナー。
【請求項１４】
弾性バンドを受けるように構成された前記第１のプラスチックセグメントにおける保持形状であって、前記弾性バンドは、前記患者の歯の第２の組に力を印加すること無しで、前記歯の第１の組に遠位力又は近心力の１つを印加するためのものである、前記保持形状、を更に備える、
請求項６から１３のいずれか一項に記載の歯科矯正アライナー。
【請求項１５】
前記第１のプラスチックセグメントは、前記コネクタの第１の端部を保持するように構成された第１の形状を備えており、前記第２のプラスチックセグメントは、前記コネクタの第２の端部を保持するように構成された第２の形状を備える、
請求項６から１４のいずれか一項に記載の歯科矯正アライナー。
【請求項１６】
命令を格納している非一時的コンピューター読み取り可能ストレージ媒体であって、処理装置によって実行されるときに、
前記処理装置が、患者の歯科アーチのデジタル３次元モデルを受け取るステップと、
前記処理装置が、前記デジタル３次元モデルに基づいて、高速プロトタイピング装置に前記歯科アーチの物理的モールドを生成させるために、前記高速プロトタイピング装置に第１の命令を送るステップと、
前記物理的モールドが成形された後に、前記物理的モールドへのプラスチックシートの熱成形又は圧力成形に基づいて、熱成形又は圧力成形装置に歯科矯正アライナーを生成されるために、前記熱成形又は圧力成形装置に第２の命令を送るステップと、
前記処理装置が、切削工作機に前記歯科矯正アライナーを少なくとも第１のセグメント及び第２のセグメントに切断させるために、前記切削工作機に第３の命令を送るステップであって、前記患者の前記歯科アーチの後ろ側歯の第２の組にいくらかの力を印加すること無しで、前記患者の歯科アーチの前側歯の第１の組に力を、前記第２のセグメントに印加させる、ステップと、
を含むオペレーションを前記処理装置に行わせる、
非一時的コンピューター読み取り可能ストレージ媒体。
【請求項１７】
前記オペレーションは、
前記第１のセグメント及び前記第２のセグメントの間にコネクタを設ける命令を送信するステップであって、前記コネクタは、前記第１のセグメント及び前記第２のセグメントの間における力を隔離するためのものである、ステップを更に含む、
請求項１６に記載の非一時的コンピューター読み取り可能ストレージ媒体。
【請求項１８】
前記デジタル３次元モデルは、前記コネクタの第１の端部を保持するように構成された第１の保持形状を前記第１のセグメントに備えさせる第１の形状と、前記コネクタの第２の端部を保持するように構成された第２の保持形状を第２のセグメントに備えさせる第２の形状とを備える、
請求項１７に記載の非一時的コンピューター読み取り可能ストレージ媒体。
【請求項１９】
前記第３の命令は、前記第１のセグメント及び前記第２のセグメントの間の前記歯科矯正アライナーの一部を、前記第１のセグメント及び前記第２のセグメントの間の力を隔離する前記第１のセグメント及び前記第２のセグメントの間のコネクタにする、
請求項１６から１８のいずれか一項に記載の非一時的コンピューター読み取り可能ストレージ媒体。
【請求項２０】
前記オペレーションは、
弾性バンドを受けるように構成された前記第１のプラスチックセグメントにおいて保持形状を装置に成形させるために前記装置に第４の命令を送るステップであって、前記弾性バンドは、前記患者の歯の第２の組に力を印加すること無しで、前記第１の歯の組に遠位力を印加するためのものである、ステップを更に含む、
請求項１６から１９のいずれか一項に記載の非一時的コンピューター読み取り可能ストレージ媒体。